(57)【特許請求の範囲】
【請求項１】
床上に設置されるフロアキャビネットと、
前記フロアキャビネットの上部に設けられたボウル部を有する洗面カウンターと、
前記ボウル部の奥側上方に設けられた鏡と、
前記ボウル部に向けた吐水口を有する水栓と、
前記フロアキャビネットの前面上部における前記ボウル部の前方に設けられ、前記ボウル部の前面を隠す収納部と、
を備えた洗面化粧台であって、
前記収納部は引き出し式であり、さらに、
前記収納部には、前記収納部の前面を押圧することで当該収納部が手前側に引き出されるように付勢するプッシュオープン機構が具備されており、
前記洗面カウンターの前端が押圧される程度に使用者が接近した際に、前記プッシュオープン機構により前記収納部が手前側に引き出されることを防止するために、前記収納部の最前面が前記洗面カウンターの前記前端の近傍であって前記前端よりも奥側、または前記前端と同位置に配置されているとともに、前記収納部の前記前面における下部の方が上部よりも奥側に配置されており、
さらに前記収納部の前記前面の上部はほぼ鉛直方向に延びるように構成されていることを特徴とする洗面化粧台。
【請求項２】
前記収納部の前記前面の前記下部は、奥側に向かうほど下方向に向かうように傾斜していることを特徴とする請求項１記載の洗面化粧台。
【請求項３】
前記収納部の前記前面の前記下部は、側面視で前方側に凸となる曲面状に形成されたことを特徴とする請求項２記載の洗面化粧台。
【請求項４】
前記収納部の前記前面は、上面視において、端部側よりも中央部側の方が手前側に突出した形状であることを特徴とする請求項１〜３のいずれか１つに記載の洗面化粧台。
【請求項５】
前記収納部の前記前面は、所定の押圧力が加わった際に前記プッシュオープン機構によって前記収納部が手前側に引き出される第１エリアと、前記所定の押圧力が加わった際に前記プッシュオープン機構が作動しない第２エリアとを有し、
前記第２エリアは、前記第２エリアの前面に前記所定の押圧力が加わった際に前記プッシュオープン機構に伝達される押圧力を弱める押圧力低減手段を有することを特徴とする請求項１〜４のいずれか１つに記載の洗面化粧台。
【請求項６】
前記押圧力低減手段は、前記第２エリアに可撓性を付与したものであることを特徴とする請求項５記載の洗面化粧台。
【発明の詳細な説明】
【技術分野】
【０００１】
本発明は、引き出し式の収納部を備えた洗面化粧台に関する。
【背景技術】
【０００２】
洗面化粧台におけるボウル部を覆い隠す幕板の裏側に、収納部を設けた構造が知られている（例えば、特許文献１〜３）。
【先行技術文献】
【特許文献】
【０００３】
【特許文献１】特開平１０−２７２０２３号公報
【特許文献２】特開２０１０−１１５４６９号公報
【特許文献３】特開２００３−１５９１８３号公報
【発明の概要】
【発明が解決しようとする課題】
【０００４】
洗面化粧台の幕板に収納部を設けるにあたって、収納部の前面を押圧することで収納部が手前側に引き出されるように付勢するプッシュオープン式の収納部（引き出し）を、ボウル部の前方に設けることも考えられる。プッシュオープン式の収納部は、取っ手が不要であり、デザイン性に優れ、また手が濡れた状態でも収納部を引き出す動作を容易に行え、使い勝手がよい。
【０００５】
ただし、洗面化粧台のボウル部前方に、プッシュオープン式の収納部を設けるにあたっては、実使用上の問題を検討する必要がある。  
図８に示すように、鏡１４に顔を近づける行為（コンタクトレンズの付け外し、メイク、髭剃りなど）で、使用者１００が洗面化粧台に接近した際に、プッシュオープン式の収納部９１の前面９１ａを大腿部等の身体の一部で押圧してしまい、意図せず収納部９１が引き出されてしまうことがある。
【０００６】
それを防止するためには、図９に示すように、収納部９２の前面９２ａを、洗面カウンター１２の前端１２ａに対して大きく奥側に引っ込ませることが考えられる。しかし、ボウル部前方であってフロントカウンター２５の下方には元々広い収納部の確保は難しく、収納部９２の前面９２ａを奥側に位置させると、ただでさえ狭い収納部が更に狭くなってしまい、好ましくない。
【０００７】
なお、上記特許文献１〜３のいずれにも、ボウル部の前方（真正面）の幕板にプッシュオープン式の収納部を設けることは開示されていないため、上記課題は存在しない。
【０００８】
また、特許文献１、３のように、ボウル部の横の空間（サイドカウンターの下）に幕板収納部が設けられている場合、その収納部は使用者が接近することが少ない位置に設けられているため、仮にプッシュオープン式の収納部にしても、実使用上支障にはならない。
【０００９】
本発明は、ボウル部の前方にプッシュオープン式の収納部（引き出し）を設けた際に起こりうる課題に着眼してなされたものであり、本発明は、ボウル部前方という元々狭く限られた空間をなるべく多く収納部として確保しつつ、使用者が洗面化粧台に接近した際に、不意に収納部が引き出されることを防止することを目的としたものである。
【課題を解決するための手段】
【００１０】
第１の発明は、床上に設置されるフロアキャビネットと、前記フロアキャビネットの上部に設けられたボウル部を有する洗面カウンターと、前記ボウル部の奥側上方に設けられた鏡と、前記ボウル部に向けた吐水口を有する水栓と、前記フロアキャビネットの前面上部における前記ボウル部の前方に設けられ、前記ボウル部の前面を隠す収納部と、を備えた洗面化粧台であって、前記収納部は引き出し式であり、さらに、前記収納部には、前記収納部の前面を押圧することで当該収納部が手前側に引き出されるように付勢するプッシュオープン機構が具備されており、前記洗面カウンターの前端が押圧される程度に使用者が接近した際に、前記プッシュオープン機構により前記収納部が手前側に引き出されることを防止するために、前記収納部の最前面が前記洗面カウンターの前記前端の近傍であって前記前端よりも奥側、または前記前端と同位置に配置されているとともに、前記収納部の前記前面における下部の方が上部よりも奥側に配置されており、さらに前記収納部の前記前面の上部はほぼ鉛直方向に延びるように構成されていることを特徴とする洗面化粧台である。  
第１の発明によれば、収納部の収納量を確保しつつ、使用者が洗面化粧台に接近した際に、不意に収納部が引き出されることを防止できる。  
第２の発明は、第１の発明において、前記収納部の前記前面の前記下部は、奥側に向かうほど下方向に向かうように傾斜していることを特徴とする。  
第２の発明によれば、収納部の前面の下部を傾斜させることにより、不意に収納部が開きやすくなるという不具合を解決でき、且つ収納部の前面を階段状に形成した場合に比べて収納量を多く確保できる。  
第３の発明は、第２の発明において、前記収納部の前記前面の前記下部は、側面視で前方側に凸となる曲面状に形成されたことを特徴とする。  
第３の発明によれば、収納部の前面の下部が曲面状に形成されているため、使用者の身体が収納部の前面に接触しても、その接触面積を小さくでき、不意に収納部が引き出されることを、より確実に防止することができる。また、収納量を最大限大きくすることができる。  
第４の発明は、第１〜第３の発明のいずれか１つにおいて、前記収納部の前記前面は、上面視において、端部側よりも中央部側の方が手前側に突出した形状であることを特徴とする。  
第４の発明によれば、上面視において、収納部の前面は端部側よりも中央側の方が手前側に突出した形状であるため、使用者の身体が収納部の前面に接触した場合であっても、その接触面積を小さくでき、不意に収納部が引き出されることを、より確実に防止することができる。  
第５の発明は、第１〜第４の発明のいずれか１つにおいて、前記収納部の前記前面は、所定の押圧力が加わった際に前記プッシュオープン機構によって前記収納部が手前側に引き出される第１エリアと、前記所定の押圧力が加わった際に前記プッシュオープン機構が作動しない第２エリアとを有し、前記第２エリアは、前記第２エリアの前面に前記所定の押圧力が加わった際に前記プッシュオープン機構に伝達される押圧力を弱める押圧力低減手段を有することを特徴とする。  
第５の発明によれば、使用者の身体が接触しやすい部位は収納部が引き出されにくく、使用者の身体が接触しにくい部位が収納部が引き出されやすくしたため、使用者の身体が収納部の前面に接触した場合であっても、使用者の身体が接触しやすい部位に加わった押圧力を弱めて、不意に収納部が引き出されることをより確実に防止することができる。  
第６の発明は、第５の発明において、前記押圧力低減手段は、前記第２エリアに可撓性を付与したものであることを特徴とする。  
第６の発明によれば、収納部の前面を薄肉あるいは軟質な材料にするだけで押圧力を低減できるため、構造を簡素化できる。
【発明の効果】
【００１１】
本発明によれば、収納部の収納量を多く確保しつつ、使用者が洗面化粧台に接近した際に、不意に収納部が引き出されることを防止できる。
【図面の簡単な説明】
【００１２】
【図１】第１実施形態に係る洗面化粧台の斜視図。
【図２】第１実施形態に係る洗面化粧台の側面図。
【図３】第１実施形態に係る洗面化粧台における収納部が引き出された状態を示す拡大側面図。
【図４】第１実施形態に係る洗面化粧台の他の具体例の側面図。
【図５】第１実施形態に係る洗面化粧台のさらに他の具体例の側面図。
【図６】第２実施形態に係る洗面化粧台における洗面カウンターの斜視図。
【図７】第２実施形態に係る洗面化粧台における洗面カウンターの上面図。
【図８】比較例の洗面化粧台の側面図。
【図９】他の比較例の洗面化粧台の側面図。
【発明を実施するための形態】
【００１３】
以下、図面を参照し、実施形態について説明する。各図面中、同じ要素には同じ符号を付している。
【００１４】
（第１実施形態）
図１は、第１実施形態に係る洗面化粧台の斜視図であり、図２は、その洗面化粧台の側面図である。なお、図２では、図１に示す鏡１４や水栓１３の図示は省略している。
【００１５】
本実施形態の洗面化粧台は、フロアキャビネット１１と、洗面カウンター１２と、鏡１４と、水栓１３と、収納部１５とを備える。
【００１６】
フロアキャビネット１１は床上に設置される。フロアキャビネット１１の上部に、洗面カウンター１２が設けられている。
【００１７】
洗面カウンター１２は、ボウル部２３と、フロントカウンター２５と、サイドカウンター２６と、バックガード２８とを有する。これらは一体に設けられても良いし、あるいは例えば、フロントカウンター２５、サイドカウンター２６及びバックガード２８は一体に形成し、それに対して別体のボウル部２３を組み込んでも良い。
【００１８】
フロントカウンター２５は、ボウル部２３の前方に張り出している。サイドカウンター２６は、ボウル部２３の幅方向の両側に張り出している。上面視で、フロントカウンター２５及びサイドカウンター２６は、ボウル部２３の前方及び幅方向の両側を囲んでいる。
【００１９】
ボウル部２３は、フロントカウンター２５及びサイドカウンター２６の上面から落ち込んだ凹部２３ａを有する。その凹部２３ａの底には排水孔２４が形成されている。排水孔２４は、図示しない栓体によって開閉可能である。
【００２０】
バックガード２８は、ボウル部２３の奥側に設けられ、フロントカウンター２５及びサイドカウンター２６の上面よりも上方に延在している。
【００２１】
バックガード２８の前面には、水栓１３が取り付けられている。水栓１３は、ボウル部２３に向けた吐水口が形成された吐水部１３ａと、操作部１３ｂとを含む。なお、吐水部１３ａと操作部１３ｂは別々の位置に取り付けることに限らず、吐水部１３ａに操作部１３ｂを取り付けた構造であってもよい。
【００２２】
鏡１４は、ボウル部２３の奥側上方に設けられている。具体的には、洗面カウンター１２のバックガード２８上にキャビネット１９が設けられ、そのキャビネット１９の前面に鏡１４が取り付けられている。
【００２３】
フロアキャビネット１１の内部には空間が形成され、収納空間として利用することができる。その空間の上方にボウル部２３が収まっている。また、その空間内には、排水孔２４と接続された排水管が収まっている。フロアキャビネット１１内の空間は、扉２１によって開閉される。また、フロアキャビネット１１の空間内には引き出し式の収納部２２が収まっている。
【００２４】
フロントカウンター２５の下におけるフロアキャビネット１１の前面上部にも、収納部１５が設けられている。フロアキャビネット１１の前面上部におけるボウル部２３の前方は開口され、その開口を覆い隠すように収納部１５が設けられている。すなわち、収納部１５は、ボウル部２３の前方（真正面）に設けられ、ボウル部２３の前面を覆い隠す幕板としても機能する。
【００２５】
収納部１５は、引き出し式の収納部である。  
図３は、収納部１５が引き出された状態を示す拡大側面図である。
【００２６】
収納部１５は、図２及び図３において横方向にスライド自在に設けられている。収納部１５の幅方向の両端側には、図３に示すように、収納部１５の裏からフロアキャビネット１１の奥行き方向に延びるインナーレール３１が取り付けられている。
【００２７】
フロアキャビネット１１の上部空間内には、奥行き方向に延びるアウターレール（図示せず）が設けられている。アウターレールは、ボウル部２３の側面よりも幅方向の外側に設けられ、一対のアウターレールがボウル部２３を挟んで位置する。そのアウターレールに対して、収納部１５に取り付けられたインナーレール３１が係合し、収納部１５はアウターレールに案内されてスライドする。
【００２８】
また、収納部１５には、収納部１５の前面を押圧することで収納部１５が手前側（図２及び図３において左側）に引き出されるように付勢するプッシュオープン機構が具備されている。
【００２９】
プッシュオープン機構は、例えば、ばねとロック機構を備える。収納部１５が開位置から閉位置に向けて、図２及び図３において右方向に押し込まれると、プッシュオープン機構のばねが圧縮される。そして、閉位置に至ると、ロック機構によって収納部１５は閉位置に保持される。この状態で収納部１５を手前に引っ張っても引き出されない。閉位置にある収納部１５の前面を押圧すると、ロック機構による保持が解除されると共に、圧縮されたばねの復元力によって、収納部１５が付勢されて手前側に飛び出す。
【００３０】
収納部１５は、上側が開口された箱状に形成されている。また、収納部１５に別途トレイを設けてもよい。収納部１５が、図１及び図２に示す閉位置にあるときは、フロントカウンター２５によって収納部１５内の収納空間が覆い隠される。収納部１５が、図３に示すように引き出されて開位置になると、収納部１５内の収納空間は洗面カウンター１２の前端１２ａよりも手前側（図３において左側）に位置して使用者に露見する。
【００３１】
収納部１５の前面は、上面視において幅方向にまっすぐ延びている。収納部１５の前面には、図２及び図３に示すように、側面視において段差が形成されている。すなわち、収納部１５の前面における下部１７の方が上部１６よりも奥側に位置している。また、収納部１５がフロントカウンター２５によって内部の収納空間が覆い隠された閉位置にある状態で、収納部１５の最前面は、洗面カウンター１２の前端１２ａの近傍であって前端１２ａよりも奥側、または前端１２ａと同位置に位置している。すなわち、洗面カウンター１２の前端１２ａが押圧される程度に使用者が接近した際に、収納部１５の最前面に使用者の身体が接触しうる。
【００３２】
本実施形態によれば、ボウル部２３の真正面のデッドスペースを収納部１５として利用することができる。また、収納部１５は、プッシュオープン式の引き出しであるため、取っ手や把持部を設ける必要がない。そのためデザイン性に優れ、また手が濡れた状態でも容易に収納部を引き出すことができる。
【００３３】
収納部１５の最前面は、洗面カウンター１２の前端１２ａよりも奥側または同位置に配置されていると共に、収納部１５の前面における下部１７の方が上部１６よりも奥側に配置されている。このため、収納部１５の前面と、使用者の身体との接触面積を低減できる。
【００３４】
また、検討の結果、使用者１００が洗面化粧台の前でボウル部２３の上方に上半身を乗り出してかがんだ姿勢をとると、図８に示すように、特に収納部９１の前面９１ａの下部に対して使用者１００の大腿部からの押圧力が作用しやすいととの知見を得るに至った。
【００３５】
したがって、本実施形態のように、収納部１５の前面の下部１７を奥側に位置させることで、洗面カウンター１２の前端１２ａが押圧される程度に使用者１００が接近した際に、収納部１５の前面に対して、プッシュオープン機構のロックを解除するほどの押圧力が作用しにくくなり、不意に収納部１５が手前側に引き出されることが防止される。
【００３６】
さらに本実施形態では、図９に示す比較例のように、収納部９２の前面９２ａを洗面カウンター１２の前端１２ａに対して大きく奥側に位置させなくてもよく、収納量の低減をまねかない。
【００３７】
すなわち、本実施形態によれば、ボウル部２３前方の限られたスペースに設けられる収納部１５の収納量をできるだけ多く確保しつつ、使用者が洗面化粧台に接近した際に不意にプッシュオープン式の収納部１５が引き出されることを防止できる。
【００３８】
図４は、第１実施形態に係る洗面化粧台の他の具体例の側面図である。
【００３９】
この収納部３５の前面の上部１６は、前述した収納部１５と同様にほぼ鉛直方向に延びるが、収納部３５の前面の下部３６は、奥側に向かうほど下方向に向かうように傾斜している。
【００４０】
収納部３５の前面の下部３６を傾斜させることにより、不意に収納部３５が開きやすくなるという不具合を解決でき、且つ前面の一部を欠いた階段状にした構造に比べ、収納量を多く確保することが可能となる。
【００４１】
図５は、第１実施形態に係る洗面化粧台のさらに他の具体例の側面図である。
【００４２】
この具体例においても、収納部３７の前面の上部１６は、ほぼ鉛直方向に延びる。そして、収納部３７の前面の下部３８は、側面視で前方側に凸となる曲面状に形成されている。すなわち、上部１６の下に続く下部３８の全体が曲面状に膨出している。
【００４３】
収納部３７の前面の下部３８が曲面状に形成されているため、使用者の身体が収納部３７の前面に接触しても、その接触面積を小さくでき、不意に収納部３７が引き出されることを、より確実に防止することができる。なおかつ、収納部３７の底部の内容積を大きくでき、収納量を最大限大きくすることが可能となる。
【００４４】
なお、収納部の前面の上部は、側面視で直線状であることに限らず、曲面状であってもよい。
【００４５】
（第２実施形態）
図６は、第２実施形態に係る洗面化粧台における洗面カウンター１２の斜視図であり、図７（ａ）及び図７（ｂ）は、その洗面カウンター１２の上面図である。図７（ａ）は、収納部５０が閉位置にある状態を表し、図７（ｂ）は、収納部５０が洗面カウンター１２の手前側に引き出された開位置にある状態を表す。なお、本実施形態の洗面化粧台においても、第１実施形態と同様な、図示しない他の要素を具備している。
【００４６】
洗面カウンター１２は、ボウル部２３と、フロントカウンター５５と、サイドカウンター２６と、バックガード２８とを有する。フロントカウンター５５は、ボウル部２３の前方に張り出している。本実施形態のフロントカウンター５５は、上面視において、幅方向の端部側よりも中央部側の方が手前側に突出した形状に形成されている。すなわち、フロントカウンター５５は湾曲した形状で前方に張り出している。
【００４７】
フロントカウンター５５の下におけるフロアキャビネット１１の前面上部には、収納部５０が設けられている。フロアキャビネット１１の前面上部におけるボウル部２３の前方は開口され、その開口を覆い隠すように収納部５０が設けられている。すなわち、収納部５０は、ボウル部２３の前方（真正面）に設けられ、ボウル部２３の前面を覆い隠す幕板としても機能する。
【００４８】
収納部５０は、引き出し式の収納部である。収納部５０は、図７（ａ）及び図７（ｂ）において上下方向にスライド自在に設けられている。収納部５０の幅方向の両端側には、プッシュオープン機構５７（図７（ａ）において破線で示す）を具備したインナーレールが取り付けられている。インナーレールは、収納部５０の裏からフロアキャビネット１１の奥行き方向に延びる。
【００４９】
フロアキャビネット１１の上部空間内には、奥行き方向に延びるアウターレールが設けられている。アウターレールは、ボウル部２３の側面よりも幅方向の外側に設けられ、一対のアウターレールがボウル部２３を挟んで位置する。そのアウターレールに対して、収納部５０に取り付けられたインナーレールが係合し、収納部５０はアウターレールに案内されてスライドする。
【００５０】
プッシュオープン機構５７は、例えば、ばねとロック機構を備え、収納部５０の前面を押圧することで収納部５０が手前側に引き出されるように付勢する。
【００５１】
収納部５０は、上側が開口された箱状に形成され、図７（ｂ）に示すように、内部にトレイ５６が設けられている。収納部５０が、図６及び図７（ａ）に示す閉位置にあるときは、フロントカウンター５５によって収納部５０内の収納空間が覆い隠される。収納部５０が、図７（ｂ）に示すように引き出されて開位置になると、収納部５０内の収納空間は洗面カウンター１２の前端１２ａよりも手前側に位置して使用者に露見する。
【００５２】
収納部５０の前面は、上面視において、幅方向の端部側よりも中央部側の方が手前側に突出した形状に形成されている。すなわち、フロントカウンター５５の形状に沿った形状に湾曲している。
【００５３】
また、収納部５０の前面には、図６に示すように、段差が形成されている。すなわち、収納部５０の前面における下部５２の方が上部５１よりも奥側に位置している。また、収納部５０の最前面は、洗面カウンター１２の前端１２ａよりも奥側または同位置に位置している。
【００５４】
あるいは、図４に示す収納部３５のように、本実施形態の収納部５０の前面の下部５２を、奥側に向かうほど下方向に向かうように傾斜させてもよい。あるいは、図５に示す収納部３７のように、本実施形態の収納部５０の前面の下部５２を、側面視で前方側に凸となる曲面状に膨出させてもよい。なお、本実施形態においても、収納部５０の前面の上部５１は、側面視で直線状であることに限らず、曲面状であってもよい。
【００５５】
本実施形態ににおいても、ボウル部２３の真正面のデッドスペースを収納部５０として利用することができる。また、収納部５０は、プッシュオープン式の引き出しであるため、取っ手や把持部を設ける必要がない。そのためデザイン性に優れ、また手が濡れた状態でも容易に収納部を引き出すことができる。
【００５６】
収納部５０の最前面は、洗面カウンター１２の前端１２ａよりも奥側または同位置に配置されていると共に、収納部５０の前面における下部５２の方が上部５１よりも奥側に配置されている。このため、収納部５０の前面と、使用者の身体との接触面積を低減できる。また、洗面カウンター１２の前端１２ａが押圧される程度に使用者が接近した際に、収納部５０の前面に対して、プッシュオープン機構のロックを解除するほどの押圧力が作用しにくくなり、不意に収納部５０が手前側に引き出されることが防止される。
【００５７】
さらに、本実施形態では、収納部５０の前面が、上面視において幅方向の端部側よりも中央側の方が手前側に突出した形状であるため、使用者の身体が収納部５０の前面に接触した場合であっても、その接触面積を小さくでき、不意に収納部５０が引き出されることを、より確実に防止することができる。
【００５８】
収納部５０の前面は、前述したように、弓なり状に湾曲している。その収納部５０の前面における幅方向の両端を第１エリア６１（図７（ａ））とする。その両端の第１エリア６１の間を第２エリア６２（図７（ａ））とする。
【００５９】
プッシュオープン機構５７は第１エリア６１の裏側に設けられている。このため、第１エリア６１を所定の押圧力以上の力でまっすぐに押し込めば、プッシュオープン機構５７を作動させて、収納部５０を引き出すことができる。
【００６０】
一方、前記所定の押圧力が第２エリア６２に加わっても、プッシュオープン機構５７が作動しないように、プッシュオープン機構５７に伝達される押圧力を弱める押圧力低減手段を第２エリア６２は有する。具体的に、押圧力低減手段は、第２エリア６２に可撓性を付与したものである。
【００６１】
例えば、収納部５０は樹脂からなり、弓なり状に湾曲して形成されている。そのため、手前側に突出している幅方向の中央部を押圧すると、その中央部と端部（第１エリア６１）との間の部分が撓み、中央部に押圧された力が端部には伝わりにくく、むしろ端部を手前側に浮かせるような付勢力が生じる。
【００６２】
したがって、ボウル部２３の正面に立つ使用者の身体が接触しやすい部位（第２エリア６２）に押圧力が作用しても、端部（第１エリア６１）の裏側に設けられたプッシュオープン機構５７に伝達される押圧力が弱まり、収納部５０が不意に引き出されにくい。
【００６３】
上記押圧力低減手段として第２エリア６２に可撓性を付与する構造は、例えば、収納部５０の前面を薄肉あるいは軟質な材料にするだけで実現でき、構造を簡素化できる。
【００６４】
また、本実施形態においても、図９に示す比較例のように、収納部９２の前面９２ａを洗面カウンター１２の前端１２ａに対して大きく奥側に位置させなくてもよく、収納量の低減をまねかない。
【００６５】
すなわち、本実施形態によれば、ボウル部２３前方の限られたスペースに設けられる収納部５０の収納量をできるだけ多く確保しつつ、使用者が洗面化粧台に接近した際に不意にプッシュオープン式の収納部５０が引き出されることを防止できる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１１…フロアキャビネット、１２…洗面カウンター、１３…水栓、１４…鏡、１５，３５，３７，５０…収納部、１６，５１…上部、１７，３６，３８，５２…下部、２３…ボウル部、２５，５５…フロントカウンター、２６…サイドカウンター、２８…バックガード、５７…プッシュオープン機構、６１…第１エリア、６２…第２エリア
【図１】
0005821176.tif 000002
【図２】
0005821176.tif 000003
【図３】
0005821176.tif 000004
【図４】
0005821176.tif 000005
【図５】
0005821176.tif 000006
【図６】
0005821176.tif 000007
【図７】
0005821176.tif 000008
【図８】
0005821176.tif 000009
【図９】
0005821176.tif 000010